(57)【特許請求の範囲】
【請求項１】
Ａ．円筒状の胴と、
Ｂ．この胴の一方の開口面に張られ、硬度がポリエチレンテレフタレートより硬い線材で構成された網状ドラムヘッドと、
Ｃ．この網状ドラムヘッドに張力を与える加張手段と、
Ｄ．上記胴の上記網状ドラムヘッドとの接合端面に装着され、上記網状ドラムヘッドの振動を電気信号に変換する圧電変換素子の振動ピックアップと、
Ｅ．この振動ピックアップで得られる電気信号を上記胴の内部から外部に取り出す電気コネクタと、
を具備して構成したことを特徴とする電気ドラム。
【請求項２】
Ａ．円筒状の胴と、
Ｂ．この胴の一方の開口面に張られ、硬度がポリエチレンテレフタレートより硬い線材で構成された網状ドラムヘッドと、
Ｃ．この網状ドラムヘッドに張力を与える加張手段と、
Ｄ．上記胴を軸芯方向に分割できる構造とし、その分割された接合面に挾着され、上記網状ドラムヘッドの振動を電気信号に変換する圧電変換素子の振動ピックアップと、
Ｅ．この振動ピックアップで得られる電気信号を上記胴の内部から外部に取り出す電気コネクタと、
を具備して構成したことを特徴とする電気ドラム。
【請求項３】
請求項１又は２記載の電気ドラムにおいて、上記振動ピックアップを複数装着し、これら複数の振動ピックアップの検出信号をアナログ加算して上記電気コネクタから取り出す構成としたことを特徴とする電気ドラム。
【請求項４】
請求項１乃至３記載の電気ドラムの何れかにおいて、上記網状ドラムヘッドの一部に可撓性を持つ膜状体を貼着し、音色を調整したことを特徴とする電気ドラム。
【請求項５】
請求項１乃至３記載の電気ドラムの何れかにおいて、上記網状ドラムヘッドの一部に硬度の高い膜状体を貼着し、音色を調整したことを特徴とする電気ドラム。
【発明の詳細な説明】
【０００１】
【発明の属する技術分野】
この発明は例えばステージ等で演奏することに適した電気ドラムに関する。
【０００２】
【従来の技術】
従来よりステージ等でドラムの音を拡声する方法としては、普通のドラム（以下アコースティックドラムと称す）の打面の近くにマイクロホンを設置し、ドラムの音を集音してその音を拡声装置で拡声して放音させ、大ホール等でも充分にドラムの音を聴衆に聴かせる等の方法が採られている。
【０００３】
【発明が解決すべき課題】
従来のドラムの拡声方法はアコースティックドラムの音を空気の振動を介した音声としてマイクロホンで集音し、この音声信号を拡声装置で拡声して放音させる方式であるから、ドラムの音だけでなく周りの雑音も集音してしまい、また目的のドラム音だけでなくドラムセット内の他のドラムの音も拾ってしまい、それらの雑音も拡声して聞こえてしまう不都合がある（他の雑音から目的のドラム音だけを分離して集音・拡声することができない）。また拡声音の音量を上げると拡声音がマイクロホンに拾われハウリングを起こす欠点もある。
【０００４】
また、ドラムの胴に圧電素子等による振動ピックアップを設置しドラムヘッド（皮）の振動を拾う実験を行ったところ、上手く音を拾うことが出来なかった。従来ヘッドの材質は弾性が低く柔らかいポリエチレンテレフタレート（ＰＥＴ）フィルムで出来ており、ヘッドの材料内部で振動の損失が大きく、胴へ伝わる振動が小さい。このためヘッドの振動ピックアップから遠い場所を叩いた場合に音のレベルが非常に（極端に）小さくなり、特にヘッドの中央部が一番小さくなってしまった。アコースティックドラムは逆にヘッドの中央部を叩いた場合に最も大きな音量が出るので（ヘッドの真ん中が良く鳴るポイント）、極めて不自然であった。
【０００５】
また、パッドを叩く振動を電気信号に変換し、この電気信号をトリガ信号として音源回路を起動させ、音源回路からドラム信号を発生させる形式の電子ドラムも存在するが、この形式の電子ドラムは電子回路によって音が画一的に決められてしまうため、アコースティックドラムと比較して表現力に欠ける欠点がある。
この発明の目的はアコースティックドラムと同等の演奏感と演奏表現力を持つ電気ドラムを提供することにある。
【０００６】
【課題を解決するための手段】
この発明ではヘッドとして金網又は硬度が硬い材質の線材で編んだ網状体を用い、自体は発音性を持たない網状のドラムヘッドの構造とすると共に、この網状ドラムヘッドの振動を胴に装着した振動ピックアップによって検知し、ドラムヘッドの振動をそのまま音源として利用してドラムの音に対応した電気信号を生成させる構造としたから、網状ドラムヘッドの材料となる金網または硬度が硬い材質の線材は、それ自体の剛性が高いので材料内部を伝わる振動の損失が小さく、叩かれた振動は素早く全体に伝わり、また網状体に編まれていることによって、アコースティックドラムのヘッドと同じように膜状の振動形態で振動する。
【０００７】
従って、この発明の電気ドラムによればステックによってヘッドを叩く叩き具合を変えると、これに伴なって音も変化し、あたかもアコースティックドラムを叩いているものと間違える程アコースティックドラムに近い演奏感を得ることができる。また、叩き具合によって音が変わるためアコースティックドラムと同等の演奏表現を得ることもできる利点が得られる。
【０００８】
更に、この発明によれば振動ピックアップで網状ドラムヘッドの振動を電気信号に変換し、この電気信号によって楽音を生成させる構造としたから、拡声音を直接拾うことはない。よって大ホール等で音量を上げて演奏してもハウリングを発生することはなく、安定した演奏を行なうことができる利点も得られる。
【０００９】
【発明の実施の形態】
図１にこの発明の一実施例を示す。図中１００はこの発明による電気ドラム、２００は拡声装置を示す。つまり、拡声装置２００はこの発明による電気ドラム１００から出力される電気ドラム信号ＤＳを増幅器２０１で増幅し、その増幅出力によりスピーカ２０２を駆動し、スピーカ２０２からドラム音を放音させる。
【００１０】
この発明による電気ドラム１００の基本的な構成は円筒状の胴１０１と、この胴１０１の一方の開口端面に張られた網状ドラムヘッド１０２と、この網状ドラムヘッド１０２に張力を与える加張手段１０３と、胴１０１に装着した振動ピックアップ１０４と、電気ドラム１００から拡声装置２００に電気信号を出力するコネクタ１０５とによって構成される。
【００１１】
胴１０１は木製或いは金属、プラスチック等の材質で構成することができ、アコースティックドラムの胴をそのまま用いることもできる。この発明の特徴とする構成はドラムヘッドを網状ドラムヘッド１０２とした点と、この網状ドラムヘッド１０２の振動を振動ピックアップ１０４によって電気的に取り出す構造とした点である。
【００１２】
網状ドラムヘッド１０２の材質としてはアコースティックドラムのヘッドの材質であるポリエチレンテレフタレートより硬く弾性の高い線材で構成した網が望ましく、主に金網が考えられる。金網の中でも鋼性が高い例えばステンレス鋼線、ニッケル線、ピアノ線等を用いることができる。また金網以外でも例えばカーボン繊維のように鋼性の高い材質の線材で編んだ網状体でもよい。
【００１３】
網状ドラムヘッド１０２はアコースティックドラムの場合と同様に胴１０１の上端側と下端側に配置したフープ１０３Ａとフレーム１０３Ｂ及びこれら間を締付けるテンションボルト１０３Ｃとによって構成される加張手段１０３によって適当な張力が与えられて胴１０１の一方の開口端面に張られる。
振動ピックアップ１０４は例えば圧電素子或は電磁変換素子等の振動ピックアップを用いることができ、圧電素子の場合は胴１０１の内壁或は網状ドラムヘッド１０２と胴１０１との接合面の部分等に直接装着して網状ドラムヘッド１０２の振動を検出し、電気信号としてコネクタ１０５から出力する。
【００１４】
また電磁変換素子を用いる場合は網状ドラムヘッド１０２は強磁性体の金網によって構成し、その網状ドラムヘッド１０２の振動面と対向して電磁変換素子で構成した振動ピックアップ１０４を装着する。
このように構成した電気ドラム１００をステック３００で叩くことにより網状ドラムヘッド１０２が振動し、振動ピックアップ１０４が圧電素子の場合はその振動が胴１０１を介して振動ピックアップ１０４に伝わり、振動ピックアップ１０４はその振動を電気ドラム信号ＤＳに変換し、その電気ドラム信号ＤＳをコネクタ１０５から出力し、拡声装置２００で音として放音させる。
【００１５】
振動ピックアップ１０４が電磁変換素子の場合は網状ドラムヘッド１０２の振動により振動ピックアップ１０４に磁気変化を与え、その磁気変化により網状ドラムヘッド１０２の振動を電気ドラム信号ＤＳに変換し、コネクタ１０５から出力する。
この構成において、直径が１０インチの胴に線径が０．２２ｍｍφのステンレス鋼線によりメッシュ＃３０（１インチ内にある目の数）で構成される金網を網状ドラムヘッド１０２として用いたところ、低域から高域まで含んだ自然な（ドラムらしい）音色が得られた。また張力を変化させた場合の音程もバスドラムからスネアドラムまで幅広い音域が得られた。
【００１６】
一方、線径が０．１４ｍｍφのステンレス鋼線によりメッシュ＃５０で構成される金網を網状ドラムヘッド１０２として用いたところ、特定の高域倍音が多く低域が少ない、アコースティックドラムで言えば薄いドラムヘッドを張ったドラム、いわゆるタンバリン系の音色が得られた。
次に、線径が０．２９ｍｍφのステンレス鋼線によりメッシュ＃１６で構成される金網を網状ドラムヘッド１０２として用いたところ、金属質の倍音を多く含んだメタル・パーカッションのような音色が得られた。
【００１７】
網の材質として、例えば硬質樹脂を被膜した金属線を用いた場合は、金属質な倍音が低減した音色が得られる。また金網に樹脂をコーティングしても同様の効果が得られた。
上述したように網状ドラムヘッド１０２の材質及び網に表面加工を施したり、網を構成する線材の直径、網のメッシュ＃を変えることによって音色を変えることができる。
【００１８】
以上により、この発明による電気ドラムの基本構成が理解できよう。図２乃至図２０にこの発明による電気ドラムの各部の構成及びその変形実施例を示す。図２乃至図１２は振動ピックアップ１０４が圧電素子の場合の実施例、図１３乃至図１６は振動ピックアップ１０４が電磁変換素子の場合の実施例を示す。
図２は振動ピックアップ１０４を胴１０１の上端、つまり網状ドラムヘッド１０２と胴１０１との接合面に装着した場合を示す。胴１０１は木材、強化プラスチック或は金属等で構成することができる。この実施例では胴１０１の上端に図２に示すように切欠１０６を形成し、この切欠１０６の部分に圧電素子から成る振動ピックアップ１０４を収納させ、その上に振動受駒１０７を被せ、この振動受駒１０７を介して網状ドラムヘッド１０２の振動を振動ピックアップ１０４に伝達させる構造とした場合を示す。
【００１９】
振動ピックアップ１０４の詳細構造を図３に示す。振動ピックアップはこの例では圧電素子１０４Ａと、その上下に装着した共通電位側の電極１０４Ｂと電極１０４Ｃとによって構成した場合を示す。振動受駒１０７は胴１０１と同一の木製、強化プラスチック或は金属によって形成することができ、その材質によって音色を設定することができる。因みに、木製或は強化プラスチックによって形成した場合は低音域が強調された音となり、金属とした場合は高音域が強調された音となる。
【００２０】
この中で特に金属によって構成した場合は振動ピックアップ１０４を電気的にシールドすることができ、ノイズ等の混入を阻止することができるから有効である。
図２に示す実施例では胴１０１の上端に１２０°角間隔で３個所に切欠１０６を形成し、これら各切欠１０６に振動ピックアップ１０４を装着した場合を示す。従って各切欠１０６に装着した３個の振動ピックアップ１０４は図４に示すように、それぞれ並列接続し、その並列接続点をコネクタ１０５を通じて外部に導出するように構成することができる。
【００２１】
このように複数の振動ピックアップ１０４を等間隔に設けたことにより、叩く位置によって音の強弱が発生することがなく、均一な音量を得ることができる。また複数の振動ピックアップ１０４を並列接続したことにより、特定の振動ピックアップ１０４の極く近傍をステック３００で叩いた場合でも、大振幅の検出信号は他の振動ピックアップが負荷として働くため減衰されて適度のレベルに揃えられてコネクタ１０５から出力される。
【００２２】
図２において、加張手段１０３は上述したようにフープ１０３Ａと、フレーム１０３Ｂと、テンションボルト１０３Ｃとによって構成され、テンションボルト１０３Ｃがフープ１０３Ａとフレーム１０３Ｂ間に差し渡され、フープ１０３Ａとフレーム１０３Ｂの間に締付力を与えることによりフープ１０３Ａが網状ドラムヘッド１０２の周縁に取付けたリング１０２Ａを抑え付け、網状ドラムヘッド１０２に張力を与える。フレーム１０３Ｂにはドラム全体を支柱（特に図示しない）に支持させるための保持金具１０３Ｄが一体に形成される。尚、図２に示す例では胴１０１とフレーム１０３Ｂを別々に形成した場合を示すが、これらを一体に形成する場合もある。
【００２３】
図５及び図６は振動ピックアップ１０４の装着構造の他の例を示す。この例では胴１０１を上半部１０１Ａと下半部１０１Ｂに２分割し、その接合部分に振動ピックアップ１０４を装着する構造とした場合を示す。従ってこの実施例では胴１０１の上半部１０１Ａが振動受リングとして作用する構造となる。
図７及び図８は振動ピックアップ１０４の装着構造の更に他の例を示す。この例では胴１０１の上端に切欠を形成し、この切欠の内部に振動ピックアップ１０４を収納し、その上にピックアップカバー１０８を被せる。ピックアップカバー１０８は胴１０１に例えば接着剤によって固定され、振動ピックアップ１０４を保護すると共に、ピックアップカバー１０８には上面から振動ピックアップ１０４の装着部分に通じる貫通孔１０８Ａを形成し、この貫通孔１０８Ａに振動受駒１０７を挿入し、この振動受駒１０７を通じて網状ドラムヘッド１０２の振動を振動ピックアップ１０４に伝達させる構造とした場合を示す。
【００２４】
この場合、振動受駒１０７は貫通孔１０８Ａ内において自由に動ける状態で挿入され、貫通孔１０８Ａの上面からわずかに上方に突出する方法に選定し、網状ドラムヘッド１０２の張力によって振動ピックアップ１０４に圧接させる。振動受駒１０７の材質としては亜鉛、アルミのダイキャスト、その他の金属或は強化プラスチック、木材等を用いることができる。
【００２５】
この振動受駒１０７の材質を選定することにより音色を変えることができる。例えば金属或は硬質プラスチック等の硬い材質を用いると高域が強調された音色になり、ナイロン等の軟質強化プラスチックを用いる場合は高域成分が減って中域が強調される。黒檀或はハードメイプル等の硬質で軽い木材を用いると低域が強調された音色になる。
【００２６】
尚、図７及び図８には振動ピックアップ１０４を１個しか図示していなが、振動ピックアップ１０４の数は図２乃至図６に示したように複数個設けられる。またこの実施例でもピックアップカバー１０８を金属とし、このピックアップカバー１０８を振動ピックアップ１０４の共通電位側の電極１０４Ｂに接触させることにより振動ピックアップ１０４をピックアップカバー１０８によってシールドすることができる。従って図７及び図８に示した実施例によれば図２乃至図６に示した実施例と比較してシールド効果を得ることができる点と、音色調整が可能とする双方の作用効果を得ることができる。
【００２７】
図９乃至図１２は振動ピックアップ１０４の設置構造の更に他の実施例を示す。この実施例では胴１０１の内壁面に振動ピックアップ１０４を貼付けた場合を示す。図９及び図１０に示す実施例では肉厚の厚い材質で胴１０１を形成した場合を示す。材質としては木製或はアルミのダイキャスト製、強化プラスチック等を用いることができ、これらの材質によって音色を選定することができる。例えばＡＢＳの発泡樹脂を用いると高域部分が減った柔らかめの音色となり、バーチ材（かばの一種である木材）を用いると中域と低域成分が強調された太くて丸みのある音色になる。
【００２８】
胴１０１の内壁面には平面１１１を形成し、この平面１１１に振動ピックアップ１０４を貼着している。
図１１及び図１２に示す実施例では１〜２ｍｍ厚程度の鉄板によって胴１０１を形成した場合を示す。このように鉄板を用いた場合には高域成分が強調された音の立ち上がりがシャープな硬めの音色になる。
【００２９】
図１３及び図１６に振動ピックアップ１０４として電磁変換素子を用いた実施例を示す。電磁変換素子はコイル１０４Ｄと、このコイル１０４Ｄの軸芯に装着した永久磁石１０４Ｅとによって構成され、これらコイル１０４Ｄと永久磁石１０４Ｅによって構成した振動ピックアップ１０４を図１３及び図１４の例ではピックアップホルダ１１２によって胴１０１の内壁面に装着した場合を示す。図１３及び図１４では振動ピックアップ１０４を１個だけ示しているが、胴１０１の内壁に例えば１２０°角間隔に３個設け、３個の振動ピックアップ１０４を並列接続してコネクタ（図１３，図１４では図示しない）に電気ドラム信号を出力するように構成することができる。電磁変換素子によって構成した振動ピックアップ１０４を用いる場合は網状ドラムヘッド１０２は磁性を持つ金網とされ、網状ドラムヘッド１０２が振動することによりコイル１０４Ｄを通る磁束が変化し、この磁束の変化によりコイル１０４Ｄに誘導起電力が発生し、この誘導起電力が電気ドラム信号として出力される。
【００３０】
図１５及び図１６は電磁変換素子によって構成した振動ピックアップ１０４を胴１０１の中央部分に配置した場合を示す。このように胴１０１の中央部分に配置した場合に、中央部分では網状ドラムヘッド１０２が最も大きく振動することから、網状ドラムヘッド１０２を強く叩くと、網状ドラムヘッド１０２が振動ピックアップ１０４に接触し、雑音が発生するおそれがある。
【００３１】
このため、この実施例では振動ピックアップ１０４の位置を上下方向に移動させ、網状ドラムヘッド１０２と振動ピックアップ１０４との間の間隔Ｇを任意に調整できる構成を付加した場合を示す。このためにはコイル１０４Ｄと永久磁石１０４Ｅを一体に支持するボビン１１３から軸芯方向に突出した円筒状のボス１１４を突出して形成し、このボス１１４の中空孔の内壁に雌ネジを形成し、この雌ネジに調整ネジ１１５を螺合させ、この調整ネジ１１５を回動操作することにより振動ピックアップ１０４を上下に移動させ、網状ドラムヘッド１０２との間の間隔Ｇを調整することができる。尚、振動ピックアップ１０４にはスプリング１１６により上向に弾性偏倚力を与え、調整ネジ１１５による設定位置を安定に維持するように構成している。
【００３２】
図１５及び図１６に示したように、振動ピックアップ１０４を胴１０１の中央位置に配置することにより、中央を叩くと大きな音量のドラム音を得ることができ、中央部分から離れるに従って漸次音量が低下する特性が得られる。この特性はアコースティックドラムと同様の演奏感となる。更に、振動ピックアップ１０４の位置を任意に設定することができるから、網状ドラムヘッド１０２の張力の調整の違いによるドラムヘッド中央部の振幅の大きさや奏者の叩く力の平均値に対応して間隔Ｇを設定することができ、網状ドラムヘッド１０２が振動中に振動ピックアップ１０４に接触して雑音が発生することも防止することができる。
【００３３】
図１７はこれまでに説明した各形式の振動ピックアップ１０４を組合せた例を示す。つまり、図１７において１０４ＡＡは図２に示した振動ピックアップ１０４の支持構造によって支持した振動ピックアップ、１０４ＢＢは図９乃至図１２に示した支持構造の振動ピックアップ、１０４ＣＣは図１３，図１４に示した電磁変換素子によって構成した振動ピックアップをそれぞれ示す。各支持構造の振動ピックアップ１０４ＡＡ，１０４ＢＢ，１０４ＣＣの各電気検出信号をミキサ装置１１８に導入し、ミキサ装置１１８で各振動ピックアップ１０４ＡＡ，１０４ＢＢ，１０４ＣＣの電気出力の混合比を設定し、その設定された混合比でミキシングされた電気ドラム信号をコネクタ１０５を通じて出力するように構成した場合を示す。ミキサ装置には各振動ピックアップ１０４ＡＡ，１０４ＢＢ，１０４ＣＣ毎に電気信号の出力レベルを調整するツマミ１１８Ａ，１１８Ｂ，１１８Ｃが設けられ、これらの各ツマミ１１８Ａ，１１８Ｂ，１１８Ｃを適宜に設定して混合比を自由に設定できる構成とした場合を示す。
【００３４】
この図１７の実施例では電磁変換素子によって構成される振動ピックアップ１０４ＣＣが混在し、この電磁変換素子によって構成した振動ピックアップ１０４ＣＣは圧電素子で構成される振動ピックアップとインピーダンスが異なることから全ての電磁ピックアップを並列接続することはできない。このため、図１８に示すように各振動ピックアップ１０４ＡＡ，１０４ＢＢ，１０４ＣＣの各出力信号をミキサ装置１１８に設けたバッファ増幅器ＢＵ１，ＢＵ２，ＢＵ３で増幅し、アナログ加算回路ＡＤＤでアナログ加算し、その加算結果をコネクタ１０５を通じて出力し、拡声装置２００から電気ドラム音を放音させる構成とした場合を示す。
【００３５】
尚、この場合、ミキサ装置１１８において各振動ピックアップ１０４ＡＡ，１０４ＢＢ，１０４ＣＣの混合比を変化させることにより音色を変化させることができる利点が得られる。
図１９及び図２０は音色を任意に設定するために網状ドラムヘッド１０２の一部に可撓性を持つ膜状体１１９を貼着した実施例を示す。図１９は網状ドラムヘッド１０２の中央部分に円形の膜状体１１９を貼着した場合を示す。また図２０はリング状の膜状体１１９を貼着した場合を示す。図１９に示すように網状ドラムヘッド１０２の中央部分に膜状体１１９を貼着した場合は低域が強調された音色となり、図２０の場合は中域が強調された音色となる。膜状体１１９の材質としては可撓性を持つ例えば高分子材料等を用いることができる。また、膜状体１１９として例えばポリエチレンテレフタレートのように硬度の高い材料を用いた場合は、音の立上がりが鋭い、いわゆるアタックが強調されたドラム音を得ることができる。
【００３６】
以上により、この発明による電気ドラムの構造が理解できよう。上述した各実施例によれば網状ドラムヘッド１０２を叩くことにより、その振動が振動ピックアップ１０４で検出され、電気ドラム信号として出力され拡声装置２００に供給することによりドラムの音を放音させることができ、このままの構成でも充分音色のよいドラム音を得ることができる。然し乍ら、以下で説明する音色改善電子回路を設けることにより、更に一層音色をアコースティックドラムの音に近づけることができる。
【００３７】
図２１以下に、この発明による電気ドラムの音をより一層アコースティックドラムに近づけるための各種の回路を付加した拡声装置２００の実施例を示す。
図２１は拡声装置２００を構成する増幅器２０１の前段側にバッファ増幅器２０３と、音色改善電子回路２０４を縦続接続して配置すると共に、加算器２０５を設け、音色改善電子回路２０４で音色を改善した信号ＤＤＳに原音ＤＳを加え、その加算結果を増幅器２０１で増幅し、その増幅出力によってスピーカ２０２を駆動してスピーカ２０２から音として放音させる構成とした場合を示す。
【００３８】
図２２は音色改善電子回路２０４の一例を示す。ＮＬは非線形回路で構成される倍音発生回路を示す。この倍音発生回路ＮＬによって電気ドラム１００から入力される電気ドラム信号ＤＳから倍音成分を発生させ、この倍音成分を例えばバンドパスフィルタＦＬを通じて取り出し、アナログ加算器２０５で原音ＤＳに加えることにより、原音から成る電気ドラム信号ＤＳに倍音成分を付加した更にドラムらしい音色を持つ信号を得ることができる。
【００３９】
倍音発生回路ＮＬの具体的な例として最も簡単な例として両波整流回路或は単波整流回路で構成することができる。また非線形入出力特性を持つ増幅器或は飽和増幅器によって電気ドラム信号ＤＳの各サイクルの信号を矩形波状に変換して倍音成分を発生させることも考えられる。
更にその他の例として、図２３に示すように乗算器によって倍音発生回路ＮＬを構成することができる。この倍音発生回路ＮＬによれば原音ＤＳ（図２４Ａ）同士を乗算し、その乗算結果として歪み率の高い信号波形（図２４Ｂ）を発生させ、この波形歪みの高い信号により倍音成分を発生させることができる。
【００４０】
倍音発生回路ＮＬの他の例を図２５，図２６に示す。図２５は可変遅延回路によって倍音発生回路ＮＬを構成した場合を示す。この場合は電気ドラム信号ＤＳを可変遅延回路に与え、その可変遅延回路の遅延時間を電気ドラム信号ＤＳのレベルに対応させて遅延時間を変調させることによりアナログ加算器２０５の出力側では変調した信号と原音ＤＳとが加算され、結果として倍音成分が増加することになる。可変遅延回路としてはＢＢＤと呼ばれているバケットブリケード（電荷転送素子）を用いて可変遅延回路を構成することができる。又、Ａ／Ｄ変換器、Ｄ／Ａ変換器、シフトレジスター等を用いてデジタルで行ってもよい。
【００４１】
図２６は倍音発生回路ＮＬを移相器によって構成した場合を示す。移相器を用いた場合も電気ドラム信号を電気ドラム信号のレベルに応じて移相させる構成とし、移相遷移された信号と移相遷移されない信号をアナログ加算器２０５で加算することにより、倍音成分が倍増される。
図２７は音色改善回路２０４に加えてノイズ発生器ＮＧを設け、このノイズ発生器ＮＧから発生する白色ノイズを例えば電気ドラム信号の立上りの瞬間だけ取り出し、そのノイズをアナログ加算器２０５で原音及び倍音成分に加えることにより、電気ドラムの音の立上りに高周波成分を含ませ、アタック音を改善するように構成した場合を示す。
【００４２】
このために、ノイズ発生器ＮＧで発生する白色ノイズを例えばバンドパスフィルタＢＦＬで所望の周波数成分（可聴周波数成分）を取り出し、その可聴ノイズ成分を乗算器ＪＯに入力する。乗算器ＪＯでは倍音発生器で発生した倍音成分を可聴ノイズ成分に乗算し、電気ドラム信号の立上りの瞬間だけを取り出す、このようにして取り出した可聴ノイズ成分を必要に応じて更にバンドパスフィルタＢＦＬ２を介して取り出し、アナログ加算器２０５に入力するアナログ加算器２０５には電気ドラム信号ＤＳと、倍音発生器ＮＬで発生させた倍音成分が入力され、可聴ノイズと共に原音ＤＳに加算される。
【００４３】
従ってこのように構成することにより電気ドラム信号の音の上りの部分（アタック部分）に可聴ノイズが加わるため、立上りの音がアコースティックドラムに近づけられる。
尚、図２７において、音色改善電子回路２０４に設けられたフィルタＦＬ１とＦＬ２はバンドパスフィルタか又はローパスフィルタの何れかが用いられ、可聴周波数の倍音成分を通過させる。
【００４４】
【発明の効果】
以上説明したように、この発明によればドラムヘッドを金属線又は硬度が高い材質の線材で構成した網状ドラムヘッド１０２としたから、網状ドラムヘッド１０２は空気による制動作用を受けることなく振動することができる。よって余韻の長い振動（サスティーンが長い）を得ることができる。また、網状ドラムヘッド１０２は材料それ自体に剛性（鋼性）があるので加張手段１０３による張力が低くても余韻の長い振動を得ることができる。つまり、径の小さい胴１０１に低い張力で張られた網状ドラムヘッド１０２でも、音程が低くサスティーンが長いドラム音を得ることができる。よって小口径のドラムでありながら、大口径のドラム音を発生させることができる利点が得られる。つまり、径の小さい胴１０１に張られた網状ドラムヘッド１０２でもサスティーンが長いドラム音を得ることができる。よって小口径のドラムでありながら、大口径のドラム音を発生させることができる利点が得られる。
【００４５】
更に、網状ドラムヘッド１０２の振動を振動ピックアップ１０４で電気信号に変換し、この電気信号を電気ドラム信号ＤＳとして拡声装置２００に入力する構成としたから、網状ドラムヘッド１０２の振動自体が電気信号に変換されてドラム音として放音されるから、網状ドラムヘッド１０２の叩き方次第で（演奏技術によって）網状ドラムヘッド１０２の振動を自在に変化させることにより、その振動の変化を音の変化として表現することができる。この結果アコースティックドラムの奏法と何等変わることなく演奏することができる。
【００４６】
また、拡声装置２００に音色改善電子回路２０４或はノイズ発生器ＮＧ等を付加することにより、スピーカ２０２から放音する電気ドラム音の音色を更にアコースティックドラムの音色に近づけることができる利点も得られる。
【図面の簡単な説明】
【図１】この発明の基本構成を説明するための接続配置図。
【図２】この発明による電気ドラムの一実施例を説明するための分解斜視図。
【図３】図２に示した実施例の要部の構造を説明するための断面図。
【図４】図２に示した実施例の電気接続構造を説明するための接続図。
【図５】この発明による電気ドラムの要部の他の実施例を説明するための断面図。
【図６】図５に示した実施構造の全体を説明するための分解斜視図。
【図７】この発明による電気ドラムの要部の他の実施例を説明するための断面図。
【図８】図７の実施構造の詳細を説明するための斜視図。
【図９】この発明による電気ドラムの要部の他の実施例を説明するための断面図。
【図１０】図９に示した実施構造の全体を説明するための分解斜視図。
【図１１】この発明による電気ドラムの要部の他の実施例を説明するための断面図。
【図１２】図１１に示した実施構造の全体を説明するための分解斜視図。
【図１３】この発明による電気ドラムの要部の他の実施例を説明するための断面図。
【図１４】図１３に示した実施構造の詳細を説明するための斜視図。
【図１５】この発明による電気ドラムの要部の他の実施例を説明するための断面図。
【図１６】図１５に示した実施構造の全体を説明するための斜視図。
【図１７】この発明による電気ドラムの要部の他の例を説明するための分解斜視図。
【図１８】図１７に示した実施構造の電気回路を説明するための接続図。
【図１９】この発明による電気ドラムの音色調整手段を施した状態を説明するための斜視図。
【図２０】図１９と同様の斜視図。
【図２１】この発明による電気ドラム用の拡声装置の一例を説明するための接続図。
【図２２】図２１に示した電気ドラム用の拡声装置の要部を具体的に示した接続図。
【図２３】図２２と同様の接続図。
【図２４】図２３の動作を説明するための波形図。
【図２５】図２２と同様の接続図。
【図２６】図２２と同様の接続図。
【図２７】図２２と同様の接続図。
【図１】
0003803187.tif 000002
【図２】
0003803187.tif 000003
【図３】
0003803187.tif 000004
【図４】
0003803187.tif 000005
【図５】
0003803187.tif 000006
【図６】
0003803187.tif 000007
【図７】
0003803187.tif 000008
【図８】
0003803187.tif 000009
【図９】
0003803187.tif 000010
【図１０】
0003803187.tif 000011
【図１１】
0003803187.tif 000012
【図１２】
0003803187.tif 000013
【図１３】
0003803187.tif 000014
【図１４】
0003803187.tif 000015
【図１５】
0003803187.tif 000016
【図１６】
0003803187.tif 000017
【図１７】
0003803187.tif 000018
【図１８】
0003803187.tif 000019
【図１９】
0003803187.tif 000020
【図２０】
0003803187.tif 000021
【図２１】
0003803187.tif 000022
【図２２】
0003803187.tif 000023
【図２３】
0003803187.tif 000024
【図２４】
0003803187.tif 000025
【図２５】
0003803187.tif 000026
【図２６】
0003803187.tif 000027
【図２７】
0003803187.tif 000028